(57)【要約】      （修正有）【課題】肌へのダメージを極力避けながら、毛穴や小鼻の脇などの凹凸した部位であっても肌メンテナンス材料が行き届く肌メンテナンス用具を提供する。【解決手段】肌メンテナンス用具１１は、カラダの肌メンテナンスを行うためのものである。地生地に並設された繊条糸が、一面２１とされる。繊条糸の自由端が、一面２１の外方に突出する。【選択図】図１
2020195748.tif 000002
【特許請求の範囲】
【請求項１】
カラダの肌メンテナンスを行うための肌メンテナンス用具であって、
地生地に並設された繊条糸が一面とされ、
前記繊条糸の自由端が前記一面の外方に突出する
ことを特徴とする肌メンテナンス用具。
【請求項２】
請求項１に記載の肌メンテナンス用具において、
当該肌メンテナンス用具は、前記一面を有する肌メンテナンス用シートである
ことを特徴とする肌メンテナンス用具。
【請求項３】
請求項１に記載の肌メンテナンス用具において、
当該肌メンテナンス用具は、外表面が前記一面である肌メンテナンス用袋状体である
ことを特徴とする肌メンテナンス用具。
【請求項４】
請求項３に記載の肌メンテナンス用具において、
使用者の左右のいずれか一方の手もしくは指を挿入可能な開口部と、
少なくとも１つの指を配する一配置部と、
前記一配置部に配した指以外の少なくとも１つの指を配する他配置部と、が設けられた
ことを特徴とする肌メンテナンス用具。
【請求項５】
請求項３または４に記載の肌メンテナンス用具において、
当該肌メンテナンス用袋状体に挿入した指の動きを規制する仕切り部が設けられた
ことを特徴とする肌メンテナンス用具。
【請求項６】
請求項１乃至５のうちいずれか１つに記載の肌メンテナンス用具において、
前記織物は天鵞絨であり、
前記繊条糸は切毛された
ことを特徴とする肌メンテナンス用具。
【請求項７】
請求項１乃至６のうちいずれか１つに記載の肌メンテナンス用具において、
前記一面の水分性能は、水分率が１．０％未満であり、公定水分率が１．０％未満である。
ことを特徴とする肌メンテナンス用具。
【請求項８】
請求項１乃至７のうちいずれか１つに記載の肌メンテナンス用具において、
前記繊条糸の毛足は、１．５ｍｍ以上２．０ｍｍ以下である
ことを特徴とする肌メンテナンス用具。
【発明の詳細な説明】
【技術分野】
【０００１】  肌メンテナンス用具に関する。
【背景技術】
【０００２】  現在、カラダの肌メンテナンスには、肌の汚れを落とす洗浄メンテナンスや、肌に潤いを与える保湿メンテナンスなどがある。肌メンテナンスで用いる道具として、例えば、洗顔の際、洗顔料（肌メンテナンス材料）を泡立てするための泡立て用具がある（例えば、特許文献１ご参照）。
【先行技術文献】
【特許文献】
【０００３】
【特許文献１】特開２００９−１３６６３７号公報
【発明の概要】
【発明が解決しようとする課題】
【０００４】  特許文献１に記載の技術によれば、毛穴の奥や小鼻の脇などの落ちにくい顔の汚れや古い角質の除去などを行うために、泡立て用具で泡立てた洗顔料（肌メンテナンス材料）を手にとって洗顔を行う。この際、特許文献１に記載の技術によれば、より繊細な使用感覚とタッチで行うことを可能とし、結果として、より精美で優れた洗顔効果を得ることを可能にする。【０００５】  ところで、このような泡を使った洗顔に関して、手を直接肌に触れることなく、洗顔したい顔の部位に、ふわっと泡を付ける方法を用いるため、泡が毛穴の奥や小鼻の脇などの落ちにくい部位にまで洗顔料が行き届いていないということがある。一方で、手で直接顔に洗顔料を擦りつけるやり方は、手と顔の皮膚同士を擦りつけて、手よりも肌が弱い顔の肌を痛める可能性があり、好ましくない。このように、手を使った洗顔では、洗顔効果に限界がある。【０００６】  そこで、上記問題を解決するために、肌へのダメージを極力避けながら、毛穴や小鼻の脇などの凹凸した部位であっても肌メンテナンス材料が行き届く肌メンテナンス用シートを提供することを目的とする。
【課題を解決するための手段】
【０００７】  上記課題を解決するために、本発明の一態様に係る肌メンテナンス用具は、カラダの肌メンテナンスを行うためのものであって、地生地に並設された繊条糸が一面とされ、前記繊条糸の自由端が前記一面の外方に突出する。
【発明の効果】
【０００８】  本発明によれば、肌へのダメージを極力避けながら、毛穴や小鼻の脇などの凹凸した部位に、肌メンテナンス材料が行き届く。
【図面の簡単な説明】
【０００９】
【図１】  図１は、本実施の形態１にかかる肌メンテナンス用シートの概略平面図である。
【図２】  図２は、本実施の形態１にかかる肌メンテナンス用シートの一面の拡大図である。
【図３】  図３は、本実施の形態１にかかる肌メンテナンス用シートの使用例であり、洗剤が泡立つ状態を示した一面の拡大図である。
【図４】  図４は、本実施の形態１にかかる肌メンテナンス用シートの使用例を示した図である。
【図５】  図５は、本実施の形態１の他の形態にかかる肌メンテナンス用シートの概略平面図である。
【図６】  図６は、本実施の形態１の他の形態にかかる肌メンテナンス用シートの概略平面図である。
【図７】  図７は、本実施の形態２にかかる肌メンテナンス用袋状体の概略平面図である。
【図８】  図８は、本実施の形態２にかかる肌メンテナンス用袋状体の使用例を示した図である。
【図９】  図９は、本実施の形態３にかかる肌メンテナンス用袋状体の概略平面図である。
【図１０】  図１０は、本実施の形態３にかかる肌メンテナンス用袋状体の使用例を示した図である。
【発明を実施するための形態】
【００１０】  以下に示す本実施の形態１乃至３では、肌メンテナンス用具を用いた肌メンテナンスについて、図面を用いて説明する。
【００１１】  本実施の形態１乃至３では、肌メンテナンス材料を用いた洗顔を例にして説明する。しかしながら、本実施の形態１乃至３は、洗顔に適用することに限定されるものではなく、カラダの任意の部位のメンテナンスに適用できる。肌メンテナンス用具の一面を用いてカラダの肌メンテナンスを行うことができる。カラダには、顔、手、足、胴体などの身体の全部位が含まれる。肌メンテナンスには、カラダの活性による肌のスキンケア、カラダへの肌メンテナンス材料（保湿液等の補充剤）の補充適用による肌のスキンケア、肌の汚れの洗浄による洗浄ケアなどが含まれている。なお、メイクは、肌にメイク材料を付着させる行為のため、肌内部に浸透させたり、肌に付着したメイクを除去する等の肌メンテナンスとは対極に位置付けられる美容手段であり、肌メンテナンスとは思想が異なる。そのため、美容業界では、メイク用具と肌メンテナンス用具とは通常別のジャンルの用具として扱われている。
【００１２】  本実施の形態１では、肌メンテナンス用具として肌メンテナンス用シート１１を用いる。本実施の形態２では、肌メンテナンス用具として肌メンテナンス用袋状体１２を用いる。本実施の形態３では、肌メンテナンス用具として肌メンテナンス用袋状体１３を用いる。
【００１３】  ＜実施の形態１＞
本実施の形態１にかかる肌メンテナンス用シート１１では、図１に示すように、一面２１と他面２２とが表裏面として成形された織布（織物）である。本実施の形態１では、織物として天鵞絨を用いている。
【００１４】  肌メンテナンス用シート１１の平面視における外周縁１１１は、花びらの輪郭のように成形されている。具体的には、肌メンテナンス用シート１１の平面視における外周縁１１１は、５つの円弧が連続して隣接して輪状の外周縁に成形されている。一面２１の外周縁１１１に沿って円弧を利用した５つのエリア１１２が、環状に一面２１に区画されている。
【００１５】  肌メンテナンス用シート１１は、図１に示すように、地生地に並設された繊条糸２３が一面２１とされ、地生地が他面２２とされる。
【００１６】  繊条糸２３は、切毛された立毛であり、自由端を有する。繊条糸２３の自由端は、一面２１の外方に突出する。そのため、一面２１は起毛した形状となっている。このように、繊条糸２３の先端となる自由端は、パイプの輪状端ではなく切毛成形されている。
【００１７】  繊条糸２３の基端から自由端までの立毛となる毛足（長さ）は、１．０以上２．０ｍｍ以下の範囲で設定され、より好適には、１．５ｍｍ以上２．０ｍｍ以下の範囲とされる。本実施の形態にかかる一面２１となる繊条糸２３の毛足（図２に示す寸法Ａ参照）では、１．５ｍｍや、１．７ｍｍ、１．８ｍｍとなっている。
【００１８】  一面２１の水分性能について、水分率が１．０％未満であり、公定水分率が１．０％未満である。
【００１９】  本実施の形態１では、一面２１の水分性能として、水分率が７．０％未満であり、公定水分率が８．５％未満である材料を用いている。特に、水分率が１．０％未満であり、公定水分率が１．０％未満である材料を用いることが好ましい。
【００２０】  本実施の形態１では、肌メンテナンス用シート１１自体に、化学繊維を用いている。
【００２１】  一面２１である繊条糸２３の材料は、ポリエステル１００％である。
【００２２】  ポリエステルの特徴として、天然繊維（綿、麻、絹、羊毛等）に比べて、耐薬品性や強度を有し、吸水性がなく、速乾性がある。また、静電気を帯び易く、この性質を利用して、汚れを吸着しやすくする。
【００２３】  他面２２である地生地の材料は、ポリエステル５０％とレーヨン５０％の混合である。
【００２４】  レーヨンの特徴として、吸湿、吸水性がある。また、他の繊維と馴染みやすく混紡、交織によく用いられる。
【００２５】  上記の通り、一面２１は他面２２に比べて強度を有する。
【００２６】  なお、本実施の形態で用いているレーヨンやポリエステルや、比較対象として列挙した天然繊維の水分に関する性能について、以下の通りとなる。
種類  ▲１▼水分率％（測定温度２０度、湿度６５％ＲＨ）  ▲２▼公定水分率（％）
綿    ▲１▼７．０  ▲２▼８．５
麻    ▲１▼７．０−１０．０  ▲２▼１２．０
羊毛    ▲１▼１６．０  ▲２▼１５．０
絹    ▲１▼９．０  ▲２▼１２．０
レーヨン    ▲１▼１２．０−１４．０  ▲２▼１１．０
ポリエステル    ▲１▼０．４−０．５  ▲２▼０．４
アクリル    ▲１▼１．２−２．０  ▲２▼２．０
アクリル系    ▲１▼０．６−１．０  ▲２▼２．０
ナイロン    ▲１▼３．５−５．０  ▲２▼４．５
【００２７】  また、他面２２である地生地よりも、一面２１である繊条糸２３の強度を高く設定している。繊条糸２３に関して、従来、優しい肌触りを求めると、地生地の材料を、ポリエステル１００％とし、繊条糸の材料を、ポリエステル５０％とレーヨン５０％の混合とする。しかしながら、ポリエステル１００％に比べて、ポリエステル５０％とレーヨン５０％の混合を適用した場合、立毛が寝やすくなり、毛穴の奥やカラダの凹凸の奥まで繊条糸２３の自由端が入らず、肌メンテナンスに用いるのに好ましくない。
【００２８】  上記の通り、繊維の水分に関する性能を含む繊維性能に基づく最適な肌メンテナンスを考慮し、また最低限の肌触りの感触を保つように、肌メンテナンス用シート１１の一面２１の条件を設定している。
【００２９】  次に、この肌メンテナンス用シート１１を用いた洗顔の洗浄メンテナンスの使用例を説明する。肌メンテナンス材料として、洗剤を用いる。
【００３０】  肌メンテナンス用シート１１の一面２１に肌メンテナンス材料（洗剤）を付け、洗剤を水や湯で伸ばす。この際、洗剤に界面活性剤が含まれた洗剤を用いた場合、図３に示すように洗剤が泡立つ状態となる（符号７の泡参照）。図３に示すように、１．５ｍｍ以上２．０ｍｍ以下の範囲で設定された毛足の繊条糸２３を用いて泡立てを行うため、泡７のキメが細かくなり、泡７が複数の繊条糸２３の間及び繊条糸２３の自由端の外方にある状態（自由端の外方に浮いた状態）で成形される。
【００３１】  そして、このようなキメの細かい泡７の洗剤を用いた、泡７を一面２１全体に伸ばした肌メンテナンス用シート１１をそのまま使うか、図４に示すようにリング６を使ってピンポイントでの洗浄対応をするか、任意に決めることができる。また、図４に示すように、洗剤の泡立ちが、従来技術に示すような泡立てネットを用いた泡立ちに比べて、キメが細かい。
【００３２】  ここでは、図４に示すように、人差し指５１と一緒に肌メンテナンス用シート１１をリング６に通すようにする。このように人差し指５１と一緒に肌メンテナンス用シート１１をリング６に通すと、肌メンテナンス用シート１１の挿通させた部分が人差し指５１に沿って尖がったような凸形状１１３となる。この凸形状１１３の部分を使って、カラダ（顔）の凹凸した部分等に洗剤を付ける。顔の所望部位に洗剤を行き渡らせたら、洗剤を水やお湯で流して洗浄メンテナンスを完了する。
【００３３】  なお、凸形状１１３の部分を、５つのエリア１１２のうち１つにすると、使用したエリア１１２を使った洗浄効果が薄れても、残り４つのエリア１１２を用いることができ、肌メンテナンス用シート１１を用いた洗浄メンテナンスの自由度が高い。
【００３４】  上記の通り、肌メンテナンス用シート１１の一面２１（繊条糸２３）に、吸水性がなく、速乾性がある繊維材料を用いるため、肌メンテナンスを行っている間、繊条糸２３自体に洗剤を含むことがなく（もしくは殆どない）、一面２１を形成する並設した複数の繊条糸２３の間及び繊条糸２３の自由端の外方に洗剤（泡７）がある状態となる。このように、洗剤が繊条糸２３に吸水されることがないので、使用した量の洗剤を肌に使うことができる。そのため、手を使った洗顔メンテナンスに比べて、洗剤の使用量を減らすことができ、洗浄コストを低減させることができる。
【００３５】  また、従来技術に示すような肌メンテナンス材料を泡立てて手で洗顔を行う肌メンテナンスとは異なり、肌メンテナンス材料を付けた肌メンテナンス用シート１１を使うので、肌メンテナンス用シート１１の一面２１（繊条糸２３）を用いてカラダ（顔等）にキメの細かい泡７の洗剤を付ける。そのため、本実施の形態１によれば、顔の所望部位に洗剤（泡７）を行き渡らせることができる。
【００３６】  上記の例では、洗顔の洗浄メンテナンスを説明しているが、肌のスキンケアの一つとなる保湿メンテナンスにおいても同様のメリットがある。肌メンテナンス材料として、保湿液を用いる。
【００３７】  保湿メンテナンスでは、肌メンテナンス用シート１１の一面２１（繊条糸２３）に、吸水性がなく、速乾性がある繊維材料を用いるため、肌メンテナンスを行っている間、繊条糸２３自体に保湿液を含むことがなく、一面２１を形成する並設した複数の繊条糸２３の間及び繊条糸２３の自由端上に保湿液がある状態のことをいう。このように、保湿液は繊条糸２３に含むことがない（もしくは殆どない）ので、使用した量の保湿液を肌に使うことができる。そのため、手を使った保湿メンテナンスに比べて、保湿液の使用量を減らすことができ、肌のスキンケアのコストを低減させることができる。
【００３８】  本実施の形態１にかかる肌メンテナンス用シート１１によれば、肌メンテナンス用シート１１の少なくとも一面２１が繊条糸２３とされているので、カラダ（顔等）の凹凸に合わせて毛足のある繊条糸２３が凹凸の窪みに入り込み、肌メンテナンス用シート１１の一面２１を密接に触れることができ、隙間なくカラダに肌メンテナンス用シート１１の一面２１を触れさせることができる。そのため、使用者は余分な力を入れず軽い力で、肌メンテナンスを行うことができる。
【００３９】  また、人差し指５１を直に使った洗浄では、人差し指５１に毛足がなく、例えば顔の鼻あたりの凹凸の窪みに対して人差し指５１が入り込まずに洗浄が難しいがこのような問題は解消できる。また、人差し指５１を直に使うため、指の油脂がカラダに付き洗浄効果を低減させるが、このような問題も解消できる。
【００４０】  また、人差し指５１を直に使った保湿などの肌メンテナンス（カラダへの補充剤の補填による肌のスキンケア）では、人差し指５１に本実施の形態１に示すような繊条糸２３の毛足がなく、例えば顔の鼻あたりの凹凸の窪みに対して人差し指５１が入り込まずに保水保湿などの肌メンテナンスが難しいが、このような問題は解消できる。
【００４１】  また、本実施の形態１にかかる肌メンテナンス用シート１１によれば、繊条糸２３の自由端が一面２１の外方に突出するので、自由端を肌に当たることで肌に刺激を与えてカラダを活性させてカラダの新陳代謝の効果も期待できる。
【００４２】  また、織物は天鵞絨であり、繊条糸２３は切毛されているので、例えば人差し指５１、コットンなどを用いた肌メンテナンスに比べて、擦り付けなどの肌への接触負荷を低減させることができる。その結果、洗剤や保湿液などの肌メンテナンス材料の肌へののりが良くなり、肌のメンテナンス効果を十分に得ることができる。
【００４３】  また、一面２１は、吸水性が無い繊維を用いているので、肌のスキンケアに肌メンテナンス用シート１１を用いた場合、吸水性がある繊維や人差し指５１に比べて肌メンテナンス材料の吸水率を下げることができる。その結果、一面２１への肌メンテナンス材料の残留を少なくして肌への肌メンテナンス材料の付着量を多くすることができる。
【００４４】  また、繊条糸２３の毛足が１．５ｍｍ以上２．０ｍｍ以下であるので、刷毛のような繊条糸の毛足が長いのに比べて、繊条糸２３がカラダの凹凸に入りやすい。窪み寸法が１０ｍｍ以下である顔等の凹凸した部位に対して、特に有用である。
【００４５】  また、本実施の形態１にかかる肌メンテナンス用シート１１によれば、耐薬品性や強度を有し、吸水性がなく、速乾性がある材料を一面２１に用いているため、お手入れも簡単で洗って繰り返し使うことができる。
【００４６】  また、本実施の形態では、肌メンテナンス用シート１１の形状（一面２１の形状）が花びらとしているが、これは好適な例であり、限定されるものではない。例えば、図５に示すような動物の顔（顔の輪郭）の形状を用いてもよい。また、リング６は図５に示すように任意の寸法のものを用いてよい。
【００４７】  また、本実施の形態では、肌メンテナンス用シート１１の一面２１の外周縁１１１が、かがり縫いされているが、これに限定されるものではなく、図６に示すように、外周縁１１１が無くてもよい。図１に示す肌メンテナンス用シート１１の製造に関して、一枚のシートから複数枚の肌メンテナンス用シート１１を切り取り、外周縁１１１に土手となるような形でかがり縫いを行い、一面２１の端縁のほつれ止めをしている。なお、ほつれ止めを行える縫い手段であれば、かがり縫いに限定されない。一方、図６に示す肌メンテナンス用シート１１の製造に関して、一枚のシートから複数枚の肌メンテナンス用シート１１をレーザ切断により成形する。この際、レーザ切断により肌メンテナンス用シート１１の外形を形取る際に、肌メンテナンス用シート１１の外形の部分（端縁）が溶融接着され、かがり縫いを不要となる。そのため、図６に示す肌メンテナンス用シート１１では、図１に示す肌メンテナンス用シート１１に比べてかがり縫いによる外周縁１１１を必要とせず、製造工数を削減させることができる。
【００４８】  ＜実施の形態２＞
本実施の形態２にかかる肌メンテナンス用袋状体１２は、実施の形態１にかかる肌メンテナンス用シート１１に比べて、肌メンテナンス用具の形状が異なるだけであり、形状以外は、実施の形態１にかかる肌メンテナンス用シート１１と同一構成を有する。そのため、同一構成による作用効果は、実施の形態１にかかる肌メンテナンス用シート１１と同一であり、ここでの記載は省略する。本実施の形態２では、実施の形態１にかかる肌メンテナンス用シート１１と異なる構成について特に説明する。
【００４９】  本実施の形態２にかかる肌メンテナンス用袋状体１２では、外表面（外表面全体）が、実施の形態１にかかる肌メンテナンス用シート１１の一面２１に対応し、内側となる内面が、実施の形態１にかかる肌メンテナンス用シート１１の他面２２に対応する。
【００５０】  肌メンテナンス用袋状体１２には、図７に示すように、使用者の左右のいずれか一方の手を挿入可能な開口部３１と、少なくとも１つの指を配する一配置部３２と、一配置部３２に配した指以外の少なくとも１つの指を配する他配置部３３と、が設けられている。
【００５１】  一配置部３２と他配置部３３では、肌メンテナンス用袋状体１２に挿入した指の動きを規制する仕切り部４が設けられてもよい。本実施の形態２では、位配置部３２にのみ、仕切り部４を設けているが、これに限定されるものではなく、他配置部３３にも仕切り部４を設けてもよい。この場合、一配置部３２や他配置部３３に配した指がそれぞれの配置部内（一配置部３２内、他配置部３３内）で動かないように指の動きを規制することができる。
【００５２】  次に、この肌メンテナンス用袋状体１２を用いた洗顔を含むカラダの洗浄メンテナンスの使用例を説明する。
【００５３】  図８に示すように、肌メンテナンス用袋状体１２の開口部３１から手５２を入れ、親指を一配置部３２に配し、その他の指を他配置部３３に配する。このように手５２を肌メンテナンス用袋状体１２に入れることで、手５２は、グローブに入れたような状態となる。
【００５４】  図８に示すように、肌メンテナンス用袋状体１２に手５２を入れた状態で、肌メンテナンス用袋状体１２の外表面となる一面２１に洗剤を付け、洗剤を水や湯で伸ばす。この際、洗剤に界面活性剤が含まれた洗剤を用いた場合、洗剤が泡立つ状態（泡７）となる。
【００５５】  そして、泡７となった洗剤を一面２１全体に伸ばした状態で、手５２で顔を拭うように洗顔を行う。また、顔以外のカラダの部位に対しても優しくなでるように所望の部位を触れることで、カラダの洗浄を行う。顔を含めたカラダの所望部位に洗剤を行き渡らせたら、洗剤を水やお湯で流して洗浄メンテナンスを完了する。なお、洗浄は、顔などのカラダの各部位毎に行ってもよい。
【００５６】  本実施の形態２にかかる肌メンテナンス用袋状体１２によれば、実施の形態１にかかる肌メンテナンス用シート１１と同一構成を有するので、同一構成による作用効果を有する。
【００５７】  また、一配置部３２と他配置部３３とにそれぞれ異なる指を挿入するので、一配置部３２と他配置部３３とに挿入した指により、カラダの所望の部位を掴むようにして肌メンテナンスを行うことができる。
【００５８】  また、仕切り部４により肌メンテナンス用袋状体１２に挿入した指の動きを規制するので、肌メンテナンスを行いたいカラダの所望部位へ的確に指を運ぶことができる。
【００５９】  また、本実施の形態２では、肌メンテナンス用袋状体１２を左右の手の両方で使えるようにし使用自由度を高めているが、いずれか一方の手に限定した形状に一配置部３２と他配置部３３の形状を設定してもよい。
【００６０】  また、本実施の形態２では、外表面全体が、実施の形態１にかかる肌メンテナンス用シート１１の一面２１に対応しているが、これに限定されるものではなく、図８に示すように、一配置部３２と他配置部３３との使用時に手の内側にあたる保持部３４のみを実施の形態１にかかる肌メンテナンス用シート１１の一面２１に対応してもよい。
【００６１】  ＜実施の形態３＞
本実施の形態３にかかる肌メンテナンス用袋状体１３は、実施の形態１にかかる肌メンテナンス用シート１１に比べて、肌メンテナンス用具の形状が異なるだけであり、形状以外は、実施の形態１にかかる肌メンテナンス用シート１１と同一構成を有する。そのため、同一構成による作用効果は、実施の形態１にかかる肌メンテナンス用シート１１と同一であり、ここでの記載は省略する。本実施の形態３では、実施の形態１にかかる肌メンテナンス用シート１１と異なる構成について特に説明する。
【００６２】  本実施の形態３にかかる肌メンテナンス用袋状体１３では、外表面（外表面全体）が、実施の形態１にかかる肌メンテナンス用シート１１の一面２１に対応し、内側となる内面が、実施の形態１にかかる肌メンテナンス用シート１１の他面２２に対応する。
【００６３】  肌メンテナンス用袋状体１３には、図９に示すように、使用者の左右のいずれか一方の手の指を挿入可能な開口部３１と、少なくとも１つの指を配する一配置部３２と、一配置部３２に配した指以外の少なくとも１つの指を配する他配置部３３と、が設けられている。本実施の形態３では、図１０に示すように、人差し指５１を一配置部３２に配し、中指５３を他配置部３３に配する。
【００６４】  一配置部３２と他配置部３３の間には、肌メンテナンス用袋状体１３に挿入した指の動きを規制したり、一配置部３２と他配置部３３とを分ける仕切り部４が設けられている。この場合、一配置部３２に配した人差し指５１や、他配置部３３に配した中指５３がそれぞれの配置部内（一配置部３２内、他配置部３３内）で動かないように動きを規制することができる。
【００６５】  本実施の形態３では、図１０に示すように、一配置部３２と他配置部３３に配する指は、これに限定されるものではなく、適宜、所望の指を配してよい。また、一配置部３２と他配置部３３とにそれぞれ１本ずつ指を挿入しているが、これに限定されるものではなく、複数本の指を挿入できる容量で一配置部３２と他配置部３３とを設計してもよい。また、一配置部３２と他配置部３３とにおいて複数本の指を挿入できる容量とした場合、一配置部３２と他配置部３３と内部において指が動くのを規制するための仕切り部４を別途設けてもよい。
【００６６】  次に、この肌メンテナンス用袋状体１３を用いた洗顔を含むカラダの洗浄メンテナンスの使用例を説明する。
【００６７】  図１０に示すように、肌メンテナンス用袋状体１３の開口部３１から、人差し指５１を一配置部３２に配し、中指５３を他配置部３３に配する。
【００６８】  図１０に示すように、肌メンテナンス用袋状体１３に指（人差し指５１、中指５３）を挿入した状態で、肌メンテナンス用袋状体１３の外表面となる一面２１に洗剤を付け、洗剤を水や湯で伸ばす。この際、洗剤に界面活性剤が含まれた洗剤を用いた場合、洗剤が泡立つ状態（泡７）となる。なお、先に肌メンテナンス用袋状体１３に洗剤を付けて、その後に肌メンテナンス用袋状体１３に指（人差し指５１、中指５３）を挿入してもよい。
【００６９】  洗剤を一面２１全体に伸ばした状態で、一配置部３２と他配置部３３を使って、カラダ（顔）の汚れた部位等に洗剤を付ける。顔の所望部位に洗剤を行き渡らせたら、洗剤を水やお湯で流して洗浄メンテナンスを完了する。
【００７０】  本実施の形態３にかかる肌メンテナンス用袋状体１３によれば、実施の形態１にかかる肌メンテナンス用シート１１と同一構成を有するので、同一構成による作用効果を有する。
【００７１】  また、一配置部３２と他配置部３３とにそれぞれ異なる指を挿入するので、一配置部３２と他配置部３３とに挿入した人差し指５１や中指５３により、カラダの所望の部位を掴むようにして肌メンテナンスを行うことができる。
【００７２】  また、本実施の形態３にかかる肌メンテナンス用袋状体１３では、一度に洗顔に使う一配置部３２の面や他配置部３３の面が決まり、洗顔に未だ使っていない一配置部３２の他面や他配置部３３の他面が存在する。そのため、一配置部３２の他面や他配置部３３の他面で洗顔を行うことができ、肌メンテナンス用袋状体１３を用いた洗浄メンテナンスの自由度が高い。
【００７３】  また、仕切り部４により肌メンテナンス用袋状体１３に挿入した人差し指５１や中指５３の動きを規制するので、肌メンテナンスを行いたいカラダ（顔等）の所望部位へ的確に人差し指５１や中指５３を運ぶことができる。
【００７４】  また、本実施の形態３では、外表面全体が、実施の形態１にかかる肌メンテナンス用シート１１の一面２１に対応しているが、これに限定されるものではなく、外表面のうち一方にあたる面のみを実施の形態１にかかる肌メンテナンス用シート１１の一面２１に対応してもよい。
【００７５】  なお、本発明は、その精神や主旨または主要な特徴から逸脱することなく、他のいろいろな形で実施することができる。そのため、上述の実施形態はあらゆる点で単なる例示にすぎず、限定的に解釈してはならない。また、本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００７６】  本発明は、肌メンテナンスを行うために用いる肌メンテナンス用具に最適である。
【符号の説明】
【００７７】１１  肌メンテナンス用シート
１１１  外周縁
１１２  エリア
１１３  凸形状
１２  肌メンテナンス用袋状体
１３  肌メンテナンス用袋状体
２１  一面
２２  他面
２３  繊条糸
３１  開口部
３２  一配置部
３３  他配置部
３４  保持部
４  仕切り部
５１  人差し指
５２  手
５３  中指
６  リング
７  泡
【図１】
2020195748.tif 000003
【図２】
2020195748.tif 000004
【図３】
2020195748.tif 000005
【図４】
2020195748.tif 000006
【図５】
2020195748.tif 000007
【図６】
2020195748.tif 000008
【図７】
2020195748.tif 000009
【図８】
2020195748.tif 000010
【図９】
2020195748.tif 000011
【図１０】
2020195748.tif 000012